(57)【要約】【課題】フォーカスエラー信号に擬似Ｓ字波形が発生した場合においても、正確に光ディスクの記録面上に合焦点位置を留まらせるようなフォーカス引き込みを実現する光ディスク装置の提供を目的とするものである。【解決手段】合焦点位置が光ディスク１の記録面よりも集光手段３側に位置するときに第１のエラー信号が最大値となり、合焦点位置が光ディスク１の記録面よりも集光手段３の反対側に位置するときに第２のエラー信号が最大値となる光ディスク装置において、第１のエラー信号が任意の閾値以上となる条件と第２のエラー信号が任意の閾値以上となる条件を共に満たしたときにフォーカスエラー信号に基づいてフォーカス駆動手段４が集光手段３の駆動を開始することにより、正確に光ディスク１の記録面上に合焦点位置を留まらせるようなフォーカス引き込みを実現する。【選択図】図１
2005310234.tif 000002
【特許請求の範囲】
【請求項１】
光デイスクの記録面に焦点を合わせるための集光手段と、前記集光手段を光軸方向に駆動するフォーカス駆動手段と、前記光ディスクに対する合焦位置のずれに応じたエラ−信号を検出する第１のエラ−検出手段および第２のエラ−検出手段と、前記第１のエラ−検出手段から出力される第１のエラー信号が任意の閾値以上であることを検出する第１の比較手段と、前記第２のエラ−検出手段から出力される第２のエラー信号が任意の閾値以上であることを検出する第２の比較手段と、前記第１のエラ−信号と前記第２のエラ−信号の減算を行うことでフォーカスエラー信号を生成する減算手段から構成され、合焦点位置が光ディスクの記録面よりも前記集光手段側に位置するときに前記第１のエラー信号が最大値となり、合焦点位置が光ディスクの記録面よりも前記集光手段の反対側に位置するときに前記第２のエラー信号が最大値となる光ディスク装置において、前記第１のエラー信号が任意の閾値以上となる条件と前記第２のエラー信号が任意の閾値以上となる条件を共に満たしたときに前記フォーカスエラー信号に基づいて前記フォーカス駆動手段が前記集光手段の駆動を開始することを特徴とする光ディスク装置。
【発明の詳細な説明】
【技術分野】
【０００１】
本発明は、情報の記録・再生・消去が可能な光ディスク装置に関するものである。
【背景技術】
【０００２】
近年、光による情報の記録再生を行う光ディスク関連の製品が市場に普及するようになってきた。一般に、光ディスク装置は光ディスク上に内周から外周に向けて螺旋状に記録された情報を読み取るために、集光手段による光の焦点を記録面上の所定の情報記録位置に留まらせ、情報を読み書き可能な状態にする光学サーボ技術が用いられる。以上の光学サーボには、集光手段を光軸方向に移動させ光ディスクの記録面に光の焦点を合わせるフォーカスサーボと、集光手段を光ディスクの半径方向に移動させ記録面上に記録された情報ピット列に焦点位置を合わせるトラッキングサーボとがある。以下図面を参照しながら、上述した従来技術によるフォーカスサーボ引き込み制御について説明する。
【０００３】
図３は、従来の光ディスク装置におけるフォーカス引き込み制御の構成図である。図３において、１は情報記録媒体である光ディスク、２は光ディスクを回転させるスピンドルモータ、３は集光手段、４は集光手段３を光軸方向に駆動するフォーカス駆動手段、５は光ディスクに対する合焦位置のずれに応じたエラ−信号を検出する第１のエラ−検出手段、６は光ディスクに対する合焦位置のずれに応じたエラ−信号を検出する第２のエラ−検出手段、９は第１のエラ−信号と第２のエラ−信号の減算を行うことでフォーカスエラー信号を生成する減算手段、１０はフォーカスエラー信号が任意の閾値以上であることを検出する第３の比較手段である。
【０００４】
以上のように構成された光ディスク装置におけるフォーカスサーボ制御について、以下にその動作原理を説明する。図４は、従来の光ディスク装置におけるフォーカス引き込み動作を模式的に示したものである。第１のエラー信号は集光手段３による合焦点位置が光ディスク１の記録面よりも集光手段３側に位置するときに最大値となるよう設定されており、第２のエラー信号は集光手段３による合焦点位置が光ディスク１の記録面よりも集光手段３の反対側に位置するときに最大値となるよう設定されている。その結果、集光手段３による合焦点位置が光ディスク１の記録面近傍に位置するときにフォーカスエラー信号にＳ字波形が発生する。
【０００５】
集光手段３による合焦点位置が図４のＡ点とＢ点の範囲内では、光ディスク１の記録面上にあるときフォーカスエラー信号はゼロ、その位置を基準に集光手段３が光ディスク１から遠ざかるときフォーカスエラー信号は正方向に変動、集光手段３が光ディスク１に近づいたときフォーカスエラー信号は負方向に変動する。
この範囲内にあるとき、フォーカスエラー信号がゼロに向かう方向にフォーカス駆動手段４で集光手段３を駆動してやることで、集光手段３による合焦点位置が光ディスク１の記録面上に留まるよう制御することができる。
【０００６】
次に、集光手段３による合焦点位置が図４のＡ点とＢ点の範囲外にある状態からフォーカス引き込みを行う動作を説明する。第３の比較手段１０にてフォーカスエラー信号が所定のレベルＨとなった事を検出した点を第１段階、第３の比較手段１０にてフォーカスエラー信号が所定のレベルＬとなった事を検出した点を第２段階とした場合、フォーカスを引き込むために、フォーカス駆動手段４によって集光手段３が光ディスク１から離れた位置から近づく方向に移動しているとき、まず第１段階検出後つづいて第２段階を検出した点で、フォーカスエラー信号に基づいてフォーカス駆動手段４が集光手段３の駆動を開始する事でフォーカス引き込みを達成する。  なお、これに関連する先行技術として、以下のものがある（例えば、特許文献１参照。）。
【特許文献１】特開２００１−２０２６３２号公報
【発明の開示】
【発明が解決しようとする課題】
【０００７】
しかしながら、上述した従来のフォーカス引き込み制御では、光学的な要因でフォーカスエラー信号に図２のような擬似Ｓ字波形が発生した場合、擬似第１段階および擬似第２段階によって光ディスクの記録面上でない位置に合焦点位置を留まらせてしまうという課題を有する。
【０００８】
本発明は、従来のフォーカス引き込み装置のこのような課題を考慮し、フォーカスエラー信号に光学的な要因による擬似Ｓ字波形が発生した場合においても、正確に光ディスクの記録面上に合焦点位置を留まらせるようなフォーカス引き込みを実現する光ディスク装置の提供を目的とするものである。
【課題を解決するための手段】
【０００９】
本発明は、光デイスクの記録面に焦点を合わせるための集光手段と、集光手段を光軸方向に駆動するフォーカス駆動手段と、光ディスクに対する合焦位置のずれに応じたエラ−信号を検出する第１のエラ−検出手段および第２のエラ−検出手段と、第１のエラ−検出手段から出力される第１のエラー信号が任意の閾値以上であることを検出する第１の比較手段と、第２のエラ−検出手段から出力される第２のエラー信号が任意の閾値以上であることを検出する第２の比較手段と、第１のエラ−信号と第２のエラ−信号の減算を行うことでフォーカスエラー信号を生成する減算手段から構成され、合焦点位置が光ディスクの記録面よりも集光手段側に位置するときに第１のエラー信号が最大値となり、合焦点位置が光ディスクの記録面よりも集光手段の反対側に位置するときに第２のエラー信号が最大値となるよう設定された光ディスク装置において、第１のエラー信号が任意の閾値以上となる条件と第２のエラー信号が任意の閾値以上となる条件を共に満たしたときにフォーカスエラー信号に基づいてフォーカス駆動手段が集光手段の駆動を開始することを特徴とする光ディスク装置である。
【発明の効果】
【００１０】
以上のように本発明によれば、フォーカス引き込みを開始するタイミングの制御にフォーカスエラー信号を使用せず、第１のエラー信号が任意の閾値Ａ以上となる条件と第２のエラー信号が任意の閾値Ｂ以上となる条件を共に満たしたときにフォーカスエラー信号に基づいてフォーカス駆動手段が集光手段の駆動を開始するため、フォーカスエラー信号に光学的な要因による擬似Ｓ字波形が発生した場合においても、正確に光ディスクの記録面上に合焦点位置を留まらせるようなフォーカス引き込みを実現する光ディスク装置を提供することができる。
【発明を実施するための最良の形態】
【００１１】
本発明の請求項１に記載の技術は、フォーカス引き込みを開始するタイミングの制御にフォーカスエラー信号を使用しないため、フォーカスエラー信号に光学的な要因による擬似Ｓ字波形が発生した場合においても、正確に光ディスクの記録面上に合焦点位置を留まらせるようなフォーカス引き込みを実現するという作用を有する。
【００１２】
（実施の形態）
以下、本発明の実施の形態について、図１および図２を用いて説明する。図１は本発明の光ディスク装置におけるフォーカス引き込み制御の構成図である。図１において、１は情報記録媒体である光ディスク、２は光ディスクを回転させるスピンドルモータ、３は集光手段、４は集光手段３を光軸方向に駆動するフォーカス駆動手段、５は光ディスクに対する合焦位置のずれに応じたエラ−信号を検出する第１のエラ−検出手段、６は光ディスクに対する合焦位置のずれに応じたエラ−信号を検出する第２のエラ−検出手段、７は第１のエラー信号が任意の閾値以上であることを検出する第１の比較手段、８は第２のエラー信号が任意の閾値以上であることを検出する第２の比較手段、９は第１のエラ−信号と第２のエラ−信号の減算を行うことでフォーカスエラー信号を生成する減算手段である。
【００１３】
以上のように構成された光ディスク装置におけるフォーカスサーボ制御について、以下にその動作原理を説明する。図２は、光学的要因でフォーカスエラー信号に擬似Ｓ字波形が発生した場合の、本発明の光ディスク装置におけるフォーカス引き込み動作の模式図である。第１のエラー信号は集光手段３による合焦点位置が光ディスク１の記録面よりも集光手段３側に位置するときに最大値となるよう設定されており、第２のエラー信号は集光手段３による合焦点位置が光ディスク１の記録面よりも集光手段３の反対側に位置するときに最大値となるよう設定されているが、光学的要因により合焦点位置が光ディスク１の記録面よりも集光手段３側に十分離れた点で極大値、極小値が発生している。その結果、集光手段３による合焦点位置が光ディスク１の記録面近傍に位置するときにフォーカスエラー信号にＳ字波形が発生する以外に、合焦点位置が光ディスク１の記録面よりも集光手段３側に十分離れたところに擬似Ｓ字波形が発生する。フォーカスエラー信号にこのような擬似Ｓ字波形が発生している状態でフォーカスエラー信号のＳ字波形を基にフォーカス引き込みを開始するタイミングの制御を行うと、正規のＳ字波形と擬似Ｓ字波形を混同してしまい、光ディスクの記録面上でない位置に合焦点位置を留まらせてしまうという不具合が発生する。しかしながら、本発明はフォーカス引き込みを開始するタイミングの制御にフォーカスエラー信号を使用せず、第１のエラー信号が任意の閾値Ａ以上となる条件と第２のエラー信号が任意の閾値Ｂ以上となる条件を共に満たしたときにフォーカスエラー信号に基づいてフォーカス駆動手段が集光手段の駆動を開始するため、フォーカスエラー信号に光学的な要因による擬似Ｓ字波形が発生した場合においても、正確に光ディスクの記録面上に合焦点位置を留まらせるようなフォーカス引き込みが実現する。
【産業上の利用可能性】
【００１４】
本発明は、情報の記録・再生・消去が可能な光ディスク装置の用途にも適用できる。
【図面の簡単な説明】
【００１５】
【図１】本発明の光ディスク装置におけるフォーカス引き込み制御の構成図
【図２】本発明の光ディスク装置におけるフォーカス引き込み動作の模式図
【図３】従来の光ディスク装置におけるフォーカス引き込み制御の構成図
【図４】従来の光ディスク装置におけるフォーカス引き込み動作の模式図
【符号の説明】
【００１６】
１    光ディスク
２    スピンドルモータ
３    集光手段
４    フォーカス駆動手段
５    第１のエラ−検出手段
６    第２のエラ−検出手段
７    第１の比較手段
８    第２の比較手段
９    減算手段
１０    第３の比較手段
【図１】
2005310234.tif 000003
【図２】
2005310234.tif 000004
【図３】
2005310234.tif 000005
【図４】
2005310234.tif 000006